(57)【特許請求の範囲】
【請求項１】
幅と高さ方向に適宜な間隔を保ちながら長さ方向に延長される第１の鉄筋群と、長さと高さ方向に適宜な間隔を保ちながら幅方向に延長される第２の鉄筋群とを囲んで形成されるコンクリート床版型枠の内部にコンクリートを打設する際に、この打設対象領域を前記床版型枠の長さ方向に区切るために形成される鉛直打継ぎ目機構であって、
前記床版型枠の幅方向に延長される梁部材と、この梁部材と前記床版型枠の底部との間にこの梁部材の延長方向に離間し、ほぼ直立した状態で、かつ水平面内の回転の自由度をもって固定されるとともに左右両端部に弾性変形部が形成された複数の堰板とを備えており、
前記堰板は、隣接するものどうしが前記梁部材と平行になるように回転せしめられた状態で、前記弾性変形部材の圧縮により前記第１の鉄筋群を介在させながら互いに密着せしめられる幅を有することを特徴とするコンクリート床版打設における鉛直打継ぎ目機構。
【請求項２】
請求項１において、
前記床版型枠は橋梁用の床版型枠であることを特徴とするコンクリート床版打設における鉛直打継ぎ目機構。
【請求項３】
請求項１と２のそれぞれにおいて、
前記梁部材は、前記第１，第２の鉄筋群の少なくとも一方に係止される一端を有するＬ字形状のＬ形部材と、前記梁部材の表面を支点として前記Ｌ形部材の他端を上方に押上げる押上機構とから構成されることを特徴とするコンクリート床版打設における鉛直打継ぎ目機構。
【請求項４】
請求項１乃至３のそれぞれにおいて、
前記堰板の幅方向の中心に前記床版型枠の底部に進入させる突起が形成されたことを特徴とするコンクリート床版打設における鉛直打継ぎ目機構。
【発明の詳細な説明】
【０００１】
【発明の属する技術分野】
本発明は、橋梁や道路や建物の床版型枠内などにコンクリートを打設する際に使用する鉛直打継ぎ目機構に関するものである。
【０００２】
【従来の技術】
橋梁の床版は、鉄筋を縦横に配置したのち床版型枠と呼ばれる木の枠板で囲み、そこにコンクリートを打設することによって形成される。このコンクリートの打設は橋梁の全長にわたって１回で終了するのが理想的である。しかしながら、実際問題として打設施工能力に限界があるため、橋梁の長さ方向に何回かに別けて打設するというコンクリートの打継ぎが行われる。このコンクリートの毎回の打継ぎ領域を橋梁の長さ方向に区切るために打継ぎ目機構が設置される。すなわち、前回の打設で形成されたコンクリートの先端部と新たに設置した打継ぎ目機構とで仕切られる空間内に新たなコンクリートの打設が行われる。
【０００３】
この打継ぎ目機構は、コンクリートの打設の繰り返しにともなって設置と撤去とが反復されるため、これをいかに短時間で行うかが作業時間を短縮するうえで重要な点になる。本出願人は、そのような設置と撤去とを容易、迅速に行うことが可能な打継ぎ目機構として、チューブを利用したもの（特願平８─１１１２４０号）や、伸展可能な堰板を使用したもの（特願平１０−２１４９５号）などをすでに特許出願してきた。
【０００４】
【発明が解決しようとする課題】
上記本出願人の先願に係わる打継ぎ目機構は、従来のものに比較して設置・撤去の容易さと迅速さがだいぶ向上したが、まだ十分とはいえない。従って、本発明の目的は、設置・撤去の容易さと迅速さとを更に向上させた打継ぎ目機構を提供することにある。
【０００５】
【発明が解決しようとする課題】
上記従来技術の課題を解決する本発明に係わるコンクリート床版打設における鉛直打継ぎ目機構は、幅方向と高さ方向に適宜な間隔を保ちながら長さ方向に延長される第１の鉄筋群と、長さ方向と高さ方向に適宜な間隔を保ちながら幅方向に延長される第２の鉄筋群とを囲んで形成されるコンクリート床版型枠の内部にコンクリートを打設する際に、この打設対象領域をこの床版型枠の長さ方向に区切るために形成される。
【０００６】
そして、この鉛直打継ぎ目機構は、床版型枠の幅方向に延長される梁部材と、この梁部材と床版型枠の底部との間にこの床版型枠の延長方向に離間し、ほぼ直立状態でかつ水平面内の回転の自由度をもって固定されるとともに左右両端部に弾性変形部材が形成された複数の堰板とを備えている。さらに、各堰板は、隣接するものどうしが梁部材と平行になるように回転せしめられた状態で、弾性変形部材の圧縮により第１の鉄筋群を介在させながら互いに密着せしめられる幅を有することにより、設置と撤去の容易さと迅速さとを向上させるように構成されている。
【０００７】
【発明の実施の形態】
本発明の好適な実施の形態によれば、  前記床版型枠は橋梁用の床版型枠であり、梁部材は、第１，第２の鉄筋群の少なくとも一方に係止される一端を有するＬ字形状のＬ形部材と、梁部材の表面を支点としてＬ形部材の他端を上方に押上げる押上機構とから構成されることにより、設置・撤去の容易さと迅速さとを更に向上させるように構成されている。
【０００８】
本発明の更に好適な実施の形態によれば、堰板の幅方向の中心に床版型枠の底部や底板に進入させる突起が形成されることにより、堰板の固定と回転を容易にすると共に打設された固化前のコンクリートの圧力にも耐えられるように構成されている。
【０００９】
【実施例】
図１は本発明の一実施例に係わる橋梁の床版型枠の鉛直打継ぎ目機構の構成を橋梁の床版型枠と共に示す断面図であり、図２は図１のＡ−Ａ' 断面図である。
【００１０】
橋梁の幅方向と高さ方向とに適宜な間隔を保ちながら橋梁の長さ方向に複数本の配力鉄筋１が第１の鉄筋群として延長される。この配力鉄筋１にほぼ直交するようように橋梁の長さ方向と高さ方向に適宜な間隔を保ちながら橋梁の幅方向に複数本の主鉄筋２が第２の鉄筋群として延長される。これら配力鉄筋群と主鉄筋群が設置された空間の底部と幅方向の左右の側部を囲むように底板３と図示しない左右両側の側板とから成る床版型枠が形成される。
【００１１】
この橋梁の床版型枠の内部には何回かにわけてコンクリートが打設される。この時、打設しようとする空間を床版型枠の長さ方向に区切るために、本実施例の鉛直打継ぎ目機構が設置される。この鉛直打継ぎ目機構は、前回のコンクリートの打設が終了してコンクリートが半分固化すると、撤去されて橋の長さ方向に移動せしめられ、新たな位置に設置される。次のコンクリートの打設は、前回打設されたコンクリート層の先端部分と、新たに設置された鉛直打継ぎ目機構で区切られた空間内に行われる。鉛直打継ぎ目機構を移動させる打設コンクリート層が半分固化した状態は、鉛直打継ぎ目機構を撤去しても打設コンクリートの先端面が崩れるほどは柔らかくなく、また、次のコンクリート打設層との間に境界が形成されるほど固くない状態である。
【００１２】
この実施例の鉛直打継ぎ目機構は、床版型枠の幅方向に延長される梁部材４と、この梁部材４と床版型枠の床面３との間に回転の自由度をもって固定される複数の堰板５と、梁部材４を配力鉄筋１と堰板５との間に固定するＬ形クランプ６とを備えている。
【００１３】
複数の堰板５は、梁部材４の延長方向、従って橋梁の幅方向に、離間して配置される。各堰板５は、木材やプラスチックなど比較的大きな剛性の素材で構成される中央部５ａと、この中央部の左右両端部に形成されたスポンジや軟質ゴムなど比較的軟質の弾性体を素材とする弾性変形部５ｂとから構成されている。各堰板５は、梁部材４と平行になるように回転せしめられた状態では、隣接するものどうしが弾性変形部５ｂの圧縮により配力鉄筋１を介在させながら互いに密着せしめられるように、互いに多少重なり合う程度の幅を有する。
【００１４】
Ｌ形クランプ６のＬ形部材６ａは概略Ｌ字形状の金具から成り、その根元側の端部はそこに形成された切り欠き部によって最上部の配力鉄筋１に係止される。Ｌ形クランプ６の押上機構６ｂは、梁部材４の表面を支点としてＬ形部材６ａの他端部と押上げることにより、梁部材４を配力鉄筋１に係止されたＬ形部材６ａと堰板５との間に固定する機構である。
【００１５】
すなわち、押上機構６ｂは、図２の右端の押上機構６ｂで代表して示すように、Ｌ形部材６ａの他端部に螺合されるボルトｂと、このボルトｂの先端部に固定され梁部材４に押圧されるスイベルボタンｓと、ボルトｂの根元部分に取付けられたハンドルｈとから構成されている。ハンドルｈを回転させ、ボルトｂを下方に推進させ、スイベルボタンｓを介して梁部材４の表面を下方に押圧する。これにより、Ｌ形部材６ａの先端部分が梁部材４の表面を支点として押上げられ、梁部材４が配力鉄筋１に係止されたＬ形クランプ６と堰板５との間に強固に固定される。
【００１６】
堰板５は、図３の正面図（Ａ）と底面図（Ｂ）とに拡大して詳細に示すように、木材やプラスチック、あるいは金属など比較的硬質の素材から成る中央部５ａと、その左右両端の弾性部５ｂと、中央部５ａの上端部の中心に植設されたボルト５ｃと、中央部５ａの底部の中心植設された鋭利な突起５ｄから構成されている。図２に示すように、堰板５の上端部に植設されたボルト５ｃが梁部材５に形成された貫通孔を通過したのちナットに螺合されることにより、梁部材５に対して水平面内の回転の自由度を保もちながら取付けられる。
【００１７】
この鉛直打継ぎ目機構の設置に際しては、図４に示すように、梁部材４に取付けられた各堰板５がこの梁部材４に対してほぼ４５°回転した状態のまま、梁部材４と堰板５から成る構造物が隣接する主鉄筋２の間の所望の位置に配置される。続いて、堰板５の頂部をハンマーで打撃することにより、堰板５の中央部の底面に植設された突起５ｄを床版型枠の底板に進入させる。次に、Ｌ形部材６ａが取付けられ、伸縮機構６ｂが操作され、梁部材４が固定される。
【００１８】
最後に、図５に示すように、堰板５が梁部材４に対して平行になるように水平面内で回転されることによりこの鉛直打継ぎ目機構の設置が完成する。この鉛直打継ぎ目機構の完成状態は、図１と図２の断面図に示したものとなる。前回の打設によって半分固化した先端部分とその境界部分に振動を加えながらコンクリートを打設していくことにより、打継ぎ目の箇所に不連続箇所が形成されない連続的なコンクリート層が形成される。なお、図１中で薄い斜線を付した部分は打設されたコンクリートの層を示している。
【００１９】
打設されたコンクリートが半分固化すると、この鉛直打継ぎ目機構が撤去される。この鉛直打継ぎ目機構の撤去は、まず、Ｌ形クランプ６が撤去され、引き続き、梁部材４と堰板５とが平行状態を保たったまま真っ直ぐ上方に引上げられることにより行われる。
【００２０】
以上、Ｌ形クランプ６を使用する構成を例示した。しかしながら、堰板５の底面に植設した突起５ｄを床版型枠の底板に突き刺すことによってもかなりの程度固定の機能が果たされているので、梁部材４の両端部分を床版型枠の側面に固定することなどにより、Ｌ形クランプ６の使用を省略することもできる。逆に、Ｌ形クランプ６を使用する場合には、突起５ｄを省略することもできる。
【００２１】
以上、橋梁の床版型枠内にコンクリートを打設する場合を例にとって本発明の鉛直打継ぎ目機構を説明した。しかしながら、本発明の鉛直打継ぎ目機構は、橋梁に限らず、道路や建物の内部の床面をつくるための床版型枠内にコンクリートを打設する場合にも適用できる。
【００２２】
【発明の効果】
以上詳細に説明したように、本発明に係わる鉛直打継ぎ目機構は、床版型枠の幅方向に延長される梁部材と、この梁部材と床版型枠の底面との間にこの梁部材の延長方向に離間し、ほぼ直立状態でかつ水平面内の回転の自由度をもって固定されるとともに左右両端部に弾性変形部材が形成された複数の堰板とを備え、各堰板が隣接するものどうしが梁部材と平行になるように回転せしめられた状態で、弾性変形部材の圧縮により配力鉄筋群を介在させながら互いに密着せしめられる幅を有する構成であるから、設置と撤去の容易さと迅速さとが向上するという効果が奏される。
【００２３】
とくに、堰板の左右両端部に弾性変形部材を形成したことにより、鉄筋の配置にかなりの誤差が存在する箇所や、鉄筋を並べて継ぎ足しをしたことで太さが２倍に増えた箇所などついても、弾性変形部材の変形によって打設直後のゲル状のコンクリートに対してゲル密構造を形成できるという利点がある。
【００２４】
本発明の好適な実施の形態によれば、梁部材が配力鉄筋群などに係止される一端を有するＬ字形状のＬ字部材と、このＬ字部材の他端と梁部材の表面との距離を変化させる伸縮機構とから構成されるから、設置・撤去の一そうの容易さと迅速さが実現されるという利点がある。
【００２５】
本発明のさらに他の好適な実施の形態によれば、各堰板の底面に突起を形成することにより、打設直後のゲル状のコンクリートの押圧力に対して大きな耐圧を実現できるという利点がある。
【図面の簡単な説明】
【図１】本発明の一実施例の橋梁床版型枠の打継ぎ目機構の構成を示す断面図である。
【図２】図１のＡ−Ａ' 断面図である。
【図３】上記実施例中の堰板の構成を詳細に拡大して示す示す正面図（Ａ）と底面図（Ｂ）である。
【図４】上記実施例の打継ぎ目機構の設置の様子を示す平面図である。
【図５】上記実施例の打継ぎ目機構の設置の様子を示す平面図である。
【符号の簡単な説明】
１      配力鉄筋
２      主鉄筋
３      床版型枠の底板
４      梁部材
５      堰板
６      Ｌ形クランプ
6a      Ｌ形部材
6b      伸縮機構
【図１】
0003949514.tif 000002
【図２】
0003949514.tif 000003
【図３】
0003949514.tif 000004
【図４】
0003949514.tif 000005
【図５】
0003949514.tif 000006